【事件の表示】
　平成１０年特許願第　８５４９２号「動画像データの再生・送信装置、及び記録媒体」拒絶査定不服審判事件〔平成１１年１０月１５日出願公開、特開平１１−２８５０２３〕について、次のとおり審決する。
【結　論】
　本件審判の請求は、成り立たない。
【理　由】
　
第１．経緯
　
１．手続
　本願は、平成１０年３月３１日の出願であって、平成１７年２月２日付けで拒絶査定された。
　本件は、本願についてされた上記拒絶査定を不服とする平成１７年３月３日の審判請求であり、同日付けで手続補正書が提出された。
　
　
２．査定
　原査定の理由は、概略、以下のとおりである。
　
　　　　　　　　　　　　　　　理　由
　本願の請求項１に係る発明は、下記刊行物１〜５に記載された発明および周知技術に基づいて当業者が容易に発明をすることができたものであるから、特許法第２９条第２項の規定により、特許を受けることができない。
　　　　　　　　　　　　　　　　記
　刊行物１：特開平７−２０３２１４号公報
　刊行物２：特開平８−１８１８６７号公報
　刊行物３：特開平３−１４４７８０号公報
　刊行物４：特開平９−３７２４０号公報
　刊行物５：特開平８−３４０５２１号公報
　
　
　
　
　
　
第２．補正の却下の決定
　平成１７年３月３日付けの手続補正（以下「本件補正」という）について、以下のとおり決定する。
　
［結論］
　平成１７年３月３日付けの手続補正を却下する。
　
［理由］
　
１．本件補正の内容
　本件補正は、本件補正前、平成１６年４月１２日付け手続補正書により補正された特許請求の範囲についてする補正であり、
　
「【請求項１】
　入力されたデータを分割するデータ分割部と、
　上記分割されたデータのうち、画素の輝度と色の強度のサンプル値に関する情報と、画素ごとの透明度を表すサンプル値に関する情報を、それぞれ独立に復号化することにより任意形状を復号化する第１の復号化部と、
上記分割されたデータのうち、輝度と色の強度のサンプル値に関する情報を復号化し、所定のサンプル値を持つ画素の部分を取り除く処理を行うことにより任意形状を復号化する第２の復号化部と、
上記第１および第２の復号化部からの出力を合成する画像信号合成部、
を有する符号化動画像データの再生装置。」
　
　の記載を、
　
「【請求項１】
　入力されたデータをコンテント毎に分割するデータ分割部と、
　上記分割されたデータのうち、画素の輝度と色の強度のサンプル値に関する情報と、画素ごとの透明度を表すサンプル値に関する情報を、それぞれ独立に復号化することにより任意形状を復号化する第１の復号化部と、
上記分割されたデータのうち、輝度と色の強度のサンプル値に関する情報を復号化し、所定のサンプル値を持つ画素の部分を取り除く処理を行うことにより任意形状を復号化する第２の復号化部と、
上記第１および第２の復号化部からの出力を合成する画像信号合成部とを有し、
　上記入力されたデータに含まれる、上記分割されたデータが上記第１又は第２何れの復号化部に対応する符号化方法で符号化されたかを指定する情報に基づいて、上記分割されたデータを上記第１又は第２の復号化部で復号することを特徴とする符号化動画像データの再生装置。」
　
　と補正するものである。
　
　
　
　
　
２．本件補正の適合性
　
（１）補正の範囲（第１７条の２第３項）
　本件補正は、願書に最初に添付した明細書又は図面の記載に基づくものであり、願書に最初に添付した明細書又は図面に記載した事項の範囲内においてする補正である。
　
　
　
　
（２）補正の目的（第１７条の２第４項第１号〜第４号）
　新請求項１は、旧請求項１の「データ分割部」について、「コンテント毎に分割する」と減縮するとともに、旧請求項１の「第１の復号化部」及び「第２の復号化部」について、「上記入力されたデータに含まれる、上記分割されたデータが上記第１又は第２何れの復号化部に対応する符号化方法で符号化されたかを指定する情報に基づいて・・・復号する」と減縮したものであるから、旧請求項１を減縮したものとみることができる。
　そして、補正の前後において産業上の利用分野及び解決しようとする課題は同一であるから、本件補正は、特許請求の範囲の減縮に該当する。
　
　
　
　
（３）独立特許要件（第１７条の２第５項）
　本件補正は、特許請求の範囲の減縮を目的とするものである。そこで検討をする。
　
ア．補正後の本願発明
　本件補正後の前記請求項１に記載される発明（以下「本願補正発明」という）は、以下のとおりのものである。
　
「入力されたデータをコンテント毎に分割するデータ分割部と、
　上記分割されたデータのうち、画素の輝度と色の強度のサンプル値に関する情報と、画素ごとの透明度を表すサンプル値に関する情報を、それぞれ独立に復号化することにより任意形状を復号化する第１の復号化部と、
上記分割されたデータのうち、輝度と色の強度のサンプル値に関する情報を復号化し、所定のサンプル値を持つ画素の部分を取り除く処理を行うことにより任意形状を復号化する第２の復号化部と、
上記第１および第２の復号化部からの出力を合成する画像信号合成部とを有し、
　上記入力されたデータに含まれる、上記分割されたデータが上記第１又は第２何れの復号化部に対応する符号化方法で符号化されたかを指定する情報に基づいて、上記分割されたデータを上記第１又は第２の復号化部で復号することを特徴とする符号化動画像データの再生装置。」
　
　
　
イ．刊行物
　原査定の拒絶の理由に引用された刊行物である特開平７−２０３２１４号公報（以下「刊行物１」という）には、図面と共に以下の事項が記載されている。
　
（ア）「この発明は、例えば印刷・製版用画像処理システム等において利用される静止画像データの圧縮方法および伸長方法に関する。」（段落【０００１】）
　
（イ）「従来から、画像内の重要な領域は低圧縮率・高画質で圧縮を行ない、重要度の低い領域は高圧縮率・低画質で圧縮を行なう方法が採用されている。」（段落【０００２】）
　
（ウ）「この発明は、従来技術における上述の課題を解決するためになされたものであり、圧縮率の異なる画像同士の境界を画素ブロックの輪郭よりも細かい輪郭で設定することのできる画像データの圧縮方法および伸長方法を提供することを目的とする。」（段落【０００６】）
（エ）「図２は、実施例における画像圧縮の処理手順を示すフローチャートである。ステップＳ１では、写真等の絵柄原稿の画像データが読取スキャナ４０によって読取られる。ステップＳ２では、色補正やレタッチ、画像合成などの種々の画像処理が実行される」（段落【００１４】）
　
（オ）「切抜きマスクの輪郭は、元画像ＩＭ0 内の所望の物体（図３（Ａ）の例では人物Ｈ1 および家Ｈ2 ）の輪郭にできる限り忠実に沿うように設定される。なお、切抜きマスクの輪郭は、画素単位の分解能を有している。切抜きマスクの輪郭が設定されると、その輪郭線を表わすマスクベクトルデータがＣＰＵ２０によって作成される。」（段落【００１５】）
　
（カ）「ステップＳ５では、元画像と２つの圧縮画像領域ＩＲ1，ＩＲ2のそれぞれに対して圧縮モードが設定される。ここで、圧縮モードとは、圧縮のアルゴリズムや量子化テーブル等の圧縮パラメータによって定まる異なった標準圧縮率を示すモードである。」（段落【００１８】）
　
（キ）「図４（Ａ）に示すように、第１の圧縮画像領域ＩＲ1の圧縮データは、領域ＩＲ1内の画像を表わす画像データＤＩＲ1を標準圧縮率ＣＲ1で圧縮して得られた圧縮画像データＣＤ1と、切抜きマスクの輪郭を表わすマスクベクトルデータＭＶ1とで構成される。」（段落【００１９】）
　
（ク）「圧縮画像データＣＤ1はヘッダ部と圧縮データ部とで構成されている。ヘッダ部には、圧縮モードと、圧縮画像領域ＩＲ1のオフセット（図３（Ｂ）における点Ｐ11の座標）と、圧縮画像領域ＩＲ1のサイズと、マスクベクトルデータＭＶ1のファイル名とが登録されている。マスクベクトルデータＭＶ1は、ヘッダ部とベクトルデータ部とで構成されており、ヘッダ部には圧縮画像データＣＤ1 のファイル名が登録されている。」（段落【００２０】）
　
（ケ）「第２の圧縮画像領域ＩＲ2の圧縮データも同様に、図４（Ｂ）に示すように、領域ＩＲ2内の画像を表わす画像データＤＩＲ2を標準圧縮率ＣＲ2で圧縮して得られた圧縮画像データＣＤ2と、切抜きマスクの輪郭を表わすマスクベクトルデータＭＶ2とで構成される。」（段落【００２１】）
　
（コ）「元画像ＩＭ0の圧縮データは、図４（Ｃ）に示すように、２つの圧縮画像領域ＩＲ1，ＩＲ2を含む元画像ＩＭ0そのものを表わす画像データＤＩＭ0を標準圧縮率ＣＲ0で圧縮して得られた圧縮画像データＣＤ0で構成される。」（段落【００２２】）
　
（サ）「図２のステップＳ７では、このようにして作成された１組の圧縮データ｛ＣＤ1，ＭＶ1，ＣＤ2，ＭＶ2，ＣＤ0｝が磁気ディスク３６（図１）に保存される。」（段落【００２３】）
　
（シ）「図５は、圧縮画像の伸長手順を示すフローチャートである。また、図６は、伸長手順における画像の変化を示す説明図である。ステップＳ１０では、圧縮／伸長部２６が、元画像ＩＭ0と２つの圧縮画像領域ＩＲ1，ＩＲ2の圧縮画像データをそれぞれの圧縮モードに応じて伸長する。」（段落【００２４】）
　
（ス）「ステップＳ１１では、各圧縮画像領域のマスクベクトルデータＭＶ1 ，ＭＶ2 に基づいて、それぞれの多階調切抜きマスクＭＭＶ1 ，ＭＭＶ2 が作成される。」（段落【００２５】）
　
（セ）「図７は、第２の圧縮画像領域ＩＲ2の多階調切抜きマスクを示す説明図である。マスクベクトルデータＭＶ2は、図７（Ａ）に示す切抜きマスクの輪郭線ＣＮＴを示すベクトルデータである。多階調切抜きマスクは、この輪郭線ＣＮＴの両側に形成された幅Ｗの輪郭領域ＣＮＲ内において、元画像ＩＭ0の伸長画像データＤＤＣ0と第２の圧縮画像領域ＩＲ2の伸長画像データＤＤＣ2とを合成する合成比率ＭＲを示すデータである。」（段落【００２６】）
　
（ソ）「図７（Ｃ）は、図７（Ｂ）において線Ｃ−Ｃに沿った合成比率ＭＲの変化を示すグラフである。合成比率ＭＲは、輪郭領域ＣＮＲよりも外側の領域において０であり、輪郭領域ＣＮＲよりも内側の領域において２５５である８ビットのデータである。また、合成比率ＭＲは、輪郭領域ＣＮＲの幅方向に沿って最小値０から最大値２５５まで直線的に変化している。このような多階調切抜きマスクを用いて得られる合成画像データＣＭは次の式で与えられる。
ＣＭ＝｛ＤＤＣi×ＭＲ＋ＤＤＣ0×（２５５−ＭＲ）｝／２５５  …（１）
ここで、ＤＤＣ0，ＤＤＣiは元画像ＩＭ0と圧縮画像領域ＩＲiの伸長画像データである。」（段落【００２７】）
　
（タ）「図５のステップＳ１２では、上記（１）式に従って２つの圧縮画像領域ＩＲ1，ＩＲ2の伸長画像データＤＤＣ1，ＤＤＣ2が元画像ＩＭ0の伸長画像データＤＤＣ0と合成されて、合成後の画像データが得られる。」（段落【００３３】）
　
（チ）「Ｂ．第２の実施例：上記の第１の実施例では、図３に示すように、元画像ＩＭ0内から圧縮画像領域ＩＲ1，ＩＲ2を抽出していたが、図８（Ａ）に示すように、人物Ｈ1の画像部品ＩＭ1と、家Ｈ2の画像部品ＩＭ2と、背景の画像部品ＩＭ00とが合成されておらず、それぞれ別個に存在する場合も考えられる。これらの画像部品の画像データから１組の圧縮データを作成する手順は、図２に示すステップとほぼ同様であり、ステップＳ３，Ｓ４における処理が以下のように異なるだけである。」（段落【００３７】）
　
（ツ）「図９は、第２の実施例において作成される１組の圧縮データを示す説明図である。図９に示すデータは、図４に示す第１の実施例におけるデータと以下の点が異なるだけである。図４では、人物と家に関する圧縮前の画像データＤＩＲ1，ＤＩＲ2 を、元画像の画像データＤＩＭ0 から抽出していたのに対して、図９では、それぞれの画像部品を表わす画像データＭＩＲ1 ，ＭＩＲ2 が始めから存在している。図９（Ｃ）の画像データＭＩＭ0 は背景の画像を表わすデータであり、その圧縮画像データＣＤ00も背景の画像のみを表わす点で図４（Ｃ）の圧縮画像データＣＤ0 とは異なる。さらに、図９の１組の圧縮データのうちで、圧縮画像領域ＩＲ1 ，ＩＲ2 に関するデータＣＤ1 ，ＭＶ1 ，ＣＤ2 ，ＭＶ2 は図４におけるデータと同じであるが、背景に関する圧縮画像データＣＤ00は図９におけるデータＣＤ0 と異なる。」（段落【００３９】）
　
（テ）「第２の実施例において、１組の圧縮データを伸長して合成後の画像データを生成する手順は、図５に示す第１の実施例における手順と同じであり、これによって第１の実施例における合成後の画像データ（図６（Ｄ））と同一のものが得られる。」（段落【００４０】）
　
（ト）「（２）上記実施例では、画像の伸長処理の際にマスクベクトルデータから多階調切抜きマスクを生成するものとしたが、画像の圧縮処理の際に多階調切抜きマスクを作成し、この多階調切抜きマスクを表わすデータを１組の圧縮データに含めるようにしてもよい。」（段落【００４４】）
　
　
　
ウ．対比
　本願補正発明と刊行物１に
第２の実施例
　
（ア）「データ分割部」について
　刊行物１記載の第２の実施例において、画像部品の画像データから１組の圧縮データを作成する手順は、上記第２．２．（３）イ．（チ）の記載によれば、第２図に示す第１実施例とほぼ同様で、ステップＳ３、Ｓ４における処理が異なるだけであり、また、１組の圧縮データを伸長して合成後の画像データを生成する手順は、上記第２．２．（３）イ．（テ）の記載によれば、第５図に示す第１の実施例と同じである。
　上記第２．２．（３）イ．（キ）〜（サ）の記載によれば、領域ＩＲ1内の画像を表わす画像データＤＩＲ1を標準圧縮率ＣＲ1で圧縮して得られた圧縮画像データＣＤ1と、領域ＩＲ2内の画像を表わす画像データＤＩＲ2を標準圧縮率ＣＲ2で圧縮して得られた圧縮画像データＣＤ2と、を含むデータが１組の圧縮データとして磁気記録ディスク３６に保存されるところ、標準圧縮率ＣＲは、上記第２．２．（３）イ．（カ）の記載によれば、圧縮の
アルゴリズム
アルゴリズム
　したがって、刊行物１発明には、「入力されたデータをコンテント毎に分割するデータ分割部」の存在が認められる。
　
　
（イ）「第１の復号化部」について
　圧縮画像データＣＤ1、ＣＤ2を伸長するには、上記第２．２．（３）ウ．（ア）で述べたように、それぞれの圧縮モードが示す標準圧縮率ＣＲに対応した
アルゴリズム
　
ａ．「画素の輝度と色の強度のサンプル値に関する情報」
　「圧縮画像データＣＤ1」は、上記第２．２．（３）イ．（キ）の記載によれば、領域ＩＲ1内の画像を表わす画像データＤＩＲ1を標準圧縮率ＣＲ1で圧縮したものである。
　したがって、「圧縮画像データＣＤ1」は、本願補正発明でいう「画素のサンプル値に関する情報」に対応するものといえる。
　もっとも、「圧縮画像データＣＤ1」は、上記第２．２．（３）イ．（エ）の記載によれば、色補正がなされているから、少なくともカラーの画像情報であるとはいえるものの、具体的なデータ形式までは記載がないから、「圧縮画像データＣＤ1」が「輝度と色の強度のサンプル値に関する情報」であるのか否か定かでない。相違が認められる。
　
ｂ．「画素ごとの透明度を表すサンプル値に関する情報」
　「多階調切抜きマスクＭＭＶ1」は、上記第２．２．（３）イ．（オ）、（セ）及び（ソ）の記載によれば、画素単位の分解能を有するマスクベクトルデータＭＶ1に基づいて作成され、元画像ＩＭ0の伸長画像データＤＤＣ0と、第１の圧縮画像領域ＩＲ1の伸長画像データＤＤＣ1と、を以下の第１式により合成して合成画像データＣＭを得る際の合成比率ＭＲを示しており、輪郭領域ＣＮＲよりも外側の領域において最小値０、輪郭領域ＣＮＲよりも内側の領域において最大値２５５、輪郭領域ＣＮＲの幅方向に沿って最小値０から最大値２５５まで直線的に変化するデータである。
　ＣＭ＝｛ＤＤＣi×ＭＲ＋ＤＤＣ0×（２５５−ＭＲ）｝／２５５…(１)
　ここで、「伸長画像データＤＤＣ1のうち、合成比率ＭＲが最小値０を示す領域」については、上記の式における第１の乗算項「ＤＤＣi×ＭＲ」によって０とされ、合成画像データＣＭには反映されないから、「透明な領域」であるといえる。
　また、「伸長画像データＤＤＣ1のうち、合成比率ＭＲが最大値２５５を示す領域」については、伸長画像データＤＤＣ0が上記の式における第２の乗算項ＤＤＣ0×（２５５−ＭＲ）によって０とされ、伸長画像データＤＤＣ1のみが合成画像データＣＭに反映されるから、「不透明な領域」であるといえる。
　したがって、「多階調切抜きマスクＭＭＶ1」は、伸長画像データＤＤＣ1の透明度を画素単位で表す情報であるといえる。
　そして、上記第２．２．（３）イ．（ト）の記載にしたがい、多階調切抜きマスクＭＭＶ1を圧縮画像データＣＤ1と対応付けて磁気ディスク３６に保存するよう構成した場合の「多階調切抜きマスクＭＭＶ1」は、本願補正発明でいう「画素ごとの透明度を表すサンプル値に関する情報」に相当する。
　
ｃ．「それぞれ独立に復号化することにより任意形状を復号化する」
　上記のとおり、圧縮画像データＣＤ1は、その圧縮モードに応じて伸長画像データＤＤＣ1に伸長された後、多階調切抜きマスクＭＭＶ1の示す合成比率ＭＲが上記第１式における第１の乗算項「ＤＤＣi×ＭＲ」により乗算されるところ、この乗算により、伸長画像データＤＤＣ1のうちで合成比率ＭＲが最小値０を示す領域は０とされるから、伸長画像データＤＤＣ1から多階調切抜きマスクＭＭＶ1の輪郭に対応した領域が抽出されるといえる。
　したがって、ｉ＝１の場合における第１式の乗算項「ＤＤＣ1×ＭＲ」は、本願補正発明でいう「任意形状を復号化する」に対応する。
　もっとも、上記第２．２．（３）イ．（ト）の記載にしたがい構成するとしても、多階調切抜きマスクＭＭＶ1の符号化、復号化については何ら記載が無いから、「画素ごとの透明度を表すサンプル値に関する情報」を復合化するのか否か定かでない。相違が認められる。
　
ｄ．まとめ（第１の復号化部）
　刊行物１には、「上記分割されたデータのうち、画素のサンプル値に関する情報と、画素ごとの透明度を表すサンプル値に関する情報により任意形状を復号化する第１の復号化部」の存在が認められる。
　もっとも、刊行物１発明では、「画素のサンプル値に関する情報」が、「輝度と色の強度のサンプル値に関する情報」であるのか否か定かでない点及び「画素ごとの透明度を表すサンプル値に関する情報」を復合化するのか否か定かでない点において相違が認められることは、上記のとおりである。
　
　
（ウ）「第２の復号化部」について
　圧縮画像データＣＤ1、ＣＤ2を復号化するには、上記第２．２．（３）ウ．（ア）で述べたように、それぞれの圧縮モードが示す標準圧縮率ＣＲに対応した
アルゴリズム
　
ａ．「輝度と色の強度のサンプル値に関する情報を復号化し」
　「圧縮画像データＣＤ2」も、圧縮画像データＣＤ1と同様、本願補正発明でいう「サンプル値に関する情報」に対応するものといえ、刊行物１には、「サンプル値に関する情報を復号化し」の存在が認められる。
　もっとも、刊行物１発明では、「サンプル値に関する情報」が、「輝度と色の強度のサンプル値に関する情報」であるのか否か定かでなく、相違が認められることは、上記のとおりである。
　
ｂ．「所定のサンプル値を持つ画素の部分を取り除く処理を行うことにより任意形状を復号化」
　圧縮画像データＣＤ2も、圧縮画像データＣＤ1と同様、その圧縮モードに応じて伸長画像データＤＤＣ2に伸長された後、多階調切抜きマスクＭＭＶ2の示す合成比率ＭＲが上記第１式における第１の乗算項「ＤＤＣi×ＭＲ」により乗算されるところ、この乗算により、伸長画像データＤＤＣ2のうちで合成比率ＭＲが最小値０を示す領域は０とされるから、伸長画像データＤＤＣ2から多階調切抜きマスクＭＭＶ2の輪郭に対応した領域が抽出されるといえる。
　したがって、ｉ＝２の場合における第１式の乗算項「ＤＤＣ2×ＭＲ」は、本願補正発明でいう「任意形状を復号化する」に対応する。
　もっとも、「任意形状を復号化する」の具体的手法が、刊行物１発明では、多階調切抜きマスクＭＭＶ2を利用して行うものであって、「所定のサンプル値を持つ画素の部分を取り除く処理を行うこと」によるものではない。相違が認められる。
　
ｃ．まとめ（第２の復号化部）
　刊行物１には、「上記分割されたデータのうち、サンプル値に関する情報を復号化し、任意形状を復号化する第２の復号化部」の存在が認められる。
　もっとも、刊行物１発明では、「任意形状を復号化する」の具体的手法が「所定のサンプル値を持つ画素の部分を取り除く処理を行うこと」によるものではない点及び「サンプル値に関する情報」が、「輝度と色の強度のサンプル値に関する情報」であるのか否か定かでない点において相違が認められることは、上記のとおりである。
　
　
（エ）「画像信号合成部」について
　伸長画像データＤＤＣ1、ＤＤＣ2は、上記第２．２．（３）イ．（タ）の記載によれば、第１式にしたがって伸長画像データＤＤＣ0と合成される。
　したがって、刊行物１には、本願補正発明でいう「上記第１および第２の復号化部からの出力を合成する画像信号合成部」の存在が認められる。
　
　
（オ）「何れの復号化部に対応する符号化方法で符号化されたかを指定する情報」について
　圧縮画像データＣＤ1、ＣＤ2は、上記第２．２．（３）イ．（ク）、（シ）及び（ツ）の記載並びに第９図によれば、それぞれヘッダ部に圧縮モードが登録されており、それらの圧縮モードに応じて伸長されるから、本願補正発明でいう「上記入力されたデータに含まれる、上記分割されたデータが上記第１又は第２何れの復号化部に対応する符号化方法で符号化されたかを指定する情報に基づいて、上記分割されたデータを上記第１又は第２の復号化部で復号すること」に相当する構成の存在が認められる。
　
　
（カ）「符号化動画像データの再生装置」について
　刊行物１発明は、上記第２．２．（３）イ．（ア）の記載によれば、例えば印刷・製版用画像処理システム等において利用される静止画像データの圧縮方法および伸長方法に関するものであり、上記したように、磁気ディスク３６に保存された圧縮画像データＣＤ1、ＣＤ2、ＣＤ0をそれぞれの圧縮モードに応じて伸長する構成を要件として含む。
　したがって、刊行物１発明の「画像処理システム」は、本願補正発明でいう「符号化画像データの再生装置」に対応するものといえる。
　もっとも、刊行物１発明では、「符号化画像データ」が、静止画像であって、「動画像」ではない。相違が認められる。
　
　
（キ）一致点、相違点
　
　以上から、本願補正発明と刊行物１発明とは、
［一致点］
「入力されたデータをコンテント毎に分割するデータ分割部と、
　上記分割されたデータのうち、画素のサンプル値に関する情報と、画素ごとの透明度を表すサンプル値に関する情報により任意形状を復号化する第１の復号化部と、
上記分割されたデータのうち、サンプル値に関する情報を復号化し、任意形状を復号化する第２の復号化部と、
上記第１および第２の復号化部からの出力を合成する画像信号合成部とを有し、
　上記入力されたデータに含まれる、上記分割されたデータが上記第１又は第２何れの復号化部に対応する符号化方法で符号化されたかを指定する情報に基づいて、上記分割されたデータを上記第１又は第２の復号化部で復号することを特徴とする符号化画像データの再生装置。」
　である点で一致し、次の各点で相違する。
　
［相違点１］
　「第２の復号化部」における「任意形状を復号化する」の具体的手法が、本願補正発明では、「所定のサンプル値を持つ画素の部分を取り除く処理を行うこと」によるものであるのに対し、刊行物１発明では、多階調切抜きマスクＭＭＶ2を利用して行うものである点。
　
［相違点２］
　「サンプル値に関する情報」が、本願補正発明では、「輝度と色の強度のサンプル値に関する情報」であるのに対し、刊行物１発明では、「輝度と色の強度のサンプル値に関する情報」であるのか否か定かでない点。
　
［相違点３］
　「画素ごとの透明度を表すサンプル値に関する情報」を、本願補正発明では、復号化するのに対し、刊行物１発明では、復合化するのか否か定かでない点。
　
［相違点４］
　「符号化画像データ」が、本願補正発明では、「動画像」であるのに対し、刊行物１発明では、静止画像である点。
　
　
　
エ．判断
　上記各相違点について検討する。
　
（ア）［相違点１］について
　一般に、取得した画像から任意形状の領域を抽出する手法として、アルファ情報（本願補正発明でいう「画素ごとの透明度を表すサンプル値に関する情報」に対応することは明らかである）を用いる手法や、クロマキー抽出（本願補正発明でいう「所定のサンプル値を持つ画素の部分を取り除く処理を行うこと」に対応することは明らかである）を用いる手法など、様々な手法が周知であり（下記キ．周知例１〜７参照）、それら周知の手法のいずれを採用するかは当業者が必要に応じて適宜決め得る事項にすぎないから、刊行物１発明においても、抽出対象の素材毎に、それら周知の手法のいずれかを任意に選んで採用することで、第２の復号化部において、「任意形状を復号化する」の具体的手法を、「所定のサンプル値を持つ画素の部分を取り除く処理を行うこと」によるものとすることは何ら格別のことでなく、当業者が容易に想到し得たことである。
　また、一般に、アルファ情報を用いる手法は、抽出精度が高い反面、処理が複雑となり、また、アルファ情報の分だけデータ量が大きくなり、一方、クロマキー抽出を用いる手法は、背景部分が非常に単純であるため全体の符号化情報量を軽減でき、画像以外の情報が要らない分だけデータが軽くなり、また、処理も簡単である反面、使用する色相に制約があり、また、色相の分離に限界があるため抽出精度が悪いこと等は広く知られており、それぞれの手法の特性を考慮して、例えば文字等についてはクロマキー抽出を用いる手法を採用し、それ以外の素材についてはアルファ情報を用いる手法を採用するなど、抽出対象の素材毎に採用する手法を任意に選択することも周知であるから（下記キ．周知例３〜周知例６参照）、この観点からしても、刊行物１発明において、抽出対象の素材毎に、アルファ情報を用いる手法とクロマキー抽出を用いる手法とを任意に採用することで、第２の復号化部において、「任意形状を復号化する」の具体的手法を、「所定のサンプル値を持つ画素の部分を取り除く処理を行うこと」によるものとすることは、当業者が容易に想到し得たことである。
　
（イ）［相違点２］について
　刊行物１発明において「圧縮画像データＣＤ1」は、上記第２．２．（３）イ．（イ）の記載によれば、色補正がなされているから、少なくともカラーの画像情報であるといえるところ、一般に、カラーの画像情報を、輝度成分の情報と色差成分の情報とで構成することは周知であるから、刊行物１発明においても、「サンプル値に関する情報」を「輝度と色の強度のサンプル値に関する情報」とすることは単なる設計事項にすぎない。
　
（ウ）［相違点３］について
　一般に、符号化されたアルファ情報を復号化して画像抽出に用いることは周知であるから（下記キ．周知例１参照）、刊行物１発明においても、「画素ごとの透明度を表すサンプル値に関する情報」を符号化しておき、画像の抽出を行う際に復号化して用いるよう構成することは単なる設計事項にすぎない。
　
（エ）［相違点４］について
　一般に、アルファ情報やクロマキー抽出により任意形状の画像を抽出し合成することは、静止画においても、動画においても、広く行われていることであるから（下記キ．周知例１〜周知例８参照）、刊行物１発明において、処理対象である「符号化画像データ」を「動画像」とすることは当業者が容易に想到し得たことである。
　
　
　
オ．効果等
　以上のとおり、上記相違点１〜４に係る本願補正発明の構成は、いずれも当業者が容易に想到し得たものであるところ、上記各相違点を総合しても格別の作用効果を奏するものとはいえず、本願補正発明を全体としてみても、その作用効果は、上記刊行物１及び周知事項から当業者が予測できる範囲のものである。
　
　
　
カ．まとめ（独立特許要件）
　以上によれば、本願補正発明は、上記刊行物１に記載された発明に基づいて当業者が容易に発明をすることができたものであるから、特許法第２９条第２項の規定により、特許出願の際独立して特許を受けることができない。
　したがって、本件補正は、特許法第１７条の２第５項において準用する同法第１２６条第５項の規定に適合しない。
　
　
　
キ．周知例
　
周知例１：特開平９−３７２４０号公報（原査定で刊行物４として提示済み）
　「「階層表現と多重テンプレートを用いた画像符号化」（信学技報IE94-159,pp99-106(1995))方式では、背景となる動画像シーケンスと前景となる部品動画像の動画像シーケンス（例えばクロマキー技術によって切り出された人物画像や魚の映像など）を合成して新たなシーケンスを作成する手法が述べられている。・・・アルファプレーンは図１３のアルファプレーン符号化部１２にて符号化される。前記文献ではこの部分でベクトル量子化及びハール変換が用いられている。各部分で符号化された符号化データは、図示しない符号化データ統合部で統合され、伝送あるいは蓄積される。・・・従来手法の復号側では、符号化データが図示しない符号化データ分解部にて第１の動画像シーケンスの符号化データ、第１の動画像シーケンスの符号化データ、アルファプレーンの符号化データに分解される。これらの符号化データは図１３に示すように第１の動画像復号部５、第２の動画像復号部６及びアルファプレーン復号部１３によって復号される。」（段落【０００３】〜【０００７】、第１３図）
　
周知例２：特開平８−３４０５２１号公報（原査定で刊行物５として提示済み）
　「背景としてクロマキーボード１を用いて、“ブルーバック＋人物”動画とすることにより、従来、背景部分で起こりうる無駄な動きをなくすことができ、符号化データの伝送情報量を削減することができる。また、入力画像信号をそのまま直交変換符号化するフレーム内符号化を行うときには、背景部分の画素成分が非常に単調であるため、発生する信号の種類が少なく多くの符号語を割り当てる必要がないので、全体の符号化情報量を軽減し伝送効率を向上させることができる。・・・送信された“ブルーバック＋人物画”とフレームメモリ４５に蓄えられた静止画をクロマキー合成する構成を受信装置に設けることにより、第１の実施例の送信装置にて全体の符号化情報量を軽減し伝送されてきた人物動画の背景を会議室、屋外風景などの静止画とすることができ、テレビ電話・テレビ会議として自然な画像を提供できる。・・・送信された“ブルーバック＋人物画”と受信側のカメラで撮影された会議室、屋外風景などの動画あるいはビデオテープレコーダから提供される動画をクロマキー合成する構成を受信装置側に設けることにより、第１の実施例の送信装置にて全体の符号化情報量を軽減して伝送されてきた人物動画の背景を、会議室、屋外風景などの動画とすることができ、テレビ電話・テレビ会議として画期的な画像を提供できる。」（段落【００２２】〜【００２９】、【００３６】〜【００４６】、第１、３、４図）
　
周知例３：「デスクトップビデオツール最新製品ガイド ＴＡＲＧＡシリーズ Ｓｔｕｄｉｏ Ｚシリーズ　Ｖｉｄｅｏ Ｖｉｓｉｏｎシリーズ」，日経ＣＧ，日経ＢＰ社，第１３０号，１９９７年７月８日，ｐ１７４−１８８
　「合成は、クロマキー，ルミナンスキー＊，アルファキーで行える。一般的にＣＧとの合成はアルファキーで行う。だが，フライングロゴぐらいなら，アルファ情報を持たなくてすむクロマキー合成の方が，データが軽くなって効率的だ。ロゴの背景を青や緑の単色にしておくだけでクロマキーで簡単に合成できるからだ。」（第１８０ページ右下欄第７〜１５行）
　
周知例４：「映像Ｗｏｒｋｓｈｏｐ Ｔｒａｃｋ.３５ デジタル合成処理のＡ ｔｏ Ｚ」，ＤＯＳ／Ｖ ｍａｇａｚｉｎｅ，第６巻，第１６号，ソフトバンク株式会社，１９９７年８月１５日，ｐ２５６−２５９
　「アルファチャンネル（もしくは白または黒アルファマット）を使った文字テロップが，最もキレイに合成できる。・・・ＣＧアニメーションと実写を合成する場合，青画面やクロマなどを使ってＡＶＩファイル同士を合成することは可能だが，カラーキー（何かの色を透明色に設定すること）を使うと，どうしても使用する色数が制限されてしまうので使いにくい部分も多い。・・・しかし、ソフトウェアが対応していれば話は別である。ｔｒｕｅＳｐａｃｅ ３Ｊなどのソフトは，出力フォーマットに３２ビットＴＡＲＧＡフォーマットを選択することが可能だ。このフォーマットは，ＲＧＢそれぞれ８ビット×３チャンネルの２４ビットにアルファチャンネル８ビットを付加することができる。・・・１フレームに８ビット，４チャンネルを持つため容量が大きくなる・・・家庭用ビデオカメラとＰＣを使ってクロマキーを使うと，思ったよりも抜けが悪いのに気がつく。家庭用のビデオカメラは業務用のテレビカメラとは信号形式が違うため（いろいろな信号が混じったＮＴＳＣ信号と輝度や色差信号が分離した状態のコンポーネント信号の違い），色相の分離に限界がある。そのため，デジタルビデオにおけるクロマキーは，キー色の調整が難しく，キレイに抜けないのも仕方がないのである。・・・合成をうまく行うには，なるべくアルファチャンネルを使うように心がけたい。」（第２５８ページ左欄第２行〜第２５９ページ右欄第７行）
　
周知例５：板倉剛彦，しろながす，「ムービー・ワークショップ」，海からの呼び声、それは始まり・・・Ｖｉ・ＭＡ・ＮＡ０７ 第２話・予感，ＭｄＮ，ｖｏｌ.４０，株式会社エムディエヌコーポレーション，１９９７年８月１日，ｐ１０９−１１３
　「少女はクロマキーで切り抜く。手前のチューブはアルファチャンネルを使って切り抜き、乗算で合成。」（第１１３ページ「０７合成」）
　
周知例６：特開平９−１８６９３５号公報
　「従来、画像切り出し（抽出）を行う一般的な手法としては、特定の色背景を用いるクロマキーや画像処理（ヒストグラム処理、差分、微分処理、輪郭強調、輪郭追跡など）によりキー信号を生成するビデオマット（テレビジョン学会技術報告、vol.12,pp.29-34,1988) などの手法が知られる。・・・しかしながら、上記従来例のうちクロマキー方式は背景の制約が大きく屋外で使えないこと、色ぬけなどの問題点がある。」（段落【０００２】〜【００１６】）
　
周知例７：特開平９−９３４８７号公報
　「キー信号による切り出しの方法としては「クロマキー」、「ルミナンスキー」および「アルファキー」の３種類が設定されていて、それぞれの種類毎に「アナログキー」と「デジタルキー」との２つのタイプが設定されており、これらの切り出し方法はキーセレクターの各ボタンをクリックして選択するようになされている。」（段落【０１４５】〜【０２１０】）
　
周知例８：特開平３−１４４７８０号公報（原査定で刊行物３として提示済み）
　「フルカラースキャナー２０を使って画像を取り込む。写真や印刷物あるいはフープ口の印字出力から取り込むことができる。取り込んだ画像は、−旦、画像データベース８２に蓄えられる。」（第３ページ左下欄第４〜７行）
　「フルカラ一部分画像圧縮方法は、フルカラー画像の中の一部分の領域だけを圧縮符号化する方法である。（特願昭６０−１９５８５４　、特願昭６１−６６８１９．６６８２０．６６８２１参照。）領域の形状は任意であり、領域中にホールがあるものでもよい。領域は、各画素毎に、領域か否か、あるいは境界部分かを示すデータを付けて表す。このデータを領域情報と呼ぶ。領域情報は、各画素Ｌビットの情報であり、値２Ｌ−１の時、領域内、値０の時、領域外、即ち、背景を示し、値１〜２Ｌ−２の時、境界部分を示す。フルカラ一部分画像の重ね合わせ処理を行うとき、この値は、重ね合わせようとするフルカラ一部分画像と背景画像の画素毎の混合比を表す値となる。原画像から、部分画像の領域情報を作るには、対象物とそれ以外の背景との色の違いを利用した色差による切り出し手法など利用する。領域情報の符号化は値０、２Ｌ−１の画素はランレングス符号化し、それ以外のところは、元の値をそのまま符号とする。あるいは、領域情報の性質は、先に述べた文字図形画像と同じものなので、文字図形画像の圧縮方法を用いることも考えられる。・・・復号化処理の際は、まず、領域情報の復号化を行う。これによって、画面の中の領域部分（即ち、画像情報を再生しなければならない部分）がどこであるか分かるので、再生した画像情報を領域部分に書き込んで行くことになる。領域以外の部分は、全く処理を行わず元の画素値のまま、残す。境界部分については、近傍の領域内画素の復号化値とその位置の背景画素の画素値とをその位置の領域情報の値に従って、混合し、その値を書き込むこととする。」（第５ページ右上欄第９行〜同右下欄第６行）
　
　
　
　
（４）むすび
　以上のとおり、本件補正は、特許法第１７条の２第５項の規定に適合しないものであるから、特許法第１５９条第１項の規定において読み替えて準用する同法第５３条第１項の規定により却下すべきものである。
　
　
　
　
　
　
第３．本願発明
　平成１７年３月３日付けの手続補正は上記のとおり却下した。
　本願請求項１に係る発明は、平成１６年４月１２日付け手続補正書により補正された特許請求の範囲の請求項１に記載された事項により特定される、以下のとおりのもの（以下「本願発明」という）である。
　
「入力されたデータを分割するデータ分割部と、
　上記分割されたデータのうち、画素の輝度と色の強度のサンプル値に関する情報と、画素ごとの透明度を表すサンプル値に関する情報を、それぞれ独立に復号化することにより任意形状を復号化する第１の復号化部と、
上記分割されたデータのうち、輝度と色の強度のサンプル値に関する情報を復号化し、所定のサンプル値を持つ画素の部分を取り除く処理を行うことにより任意形状を復号化する第２の復号化部と、
上記第１および第２の復号化部からの出力を合成する画像信号合成部、
を有する符号化動画像データの再生装置。」
　
　
　
　
　
　
第４．査定の検討
　
１．刊行物の記載
　原査定の拒絶の理由に引用された上記刊行物１（特開平７−２０３２１４号公報）には、上記第２．２．（３）イ．に記載したとおりの記載がある。
　
　
２．対比
　そこで、本願発明と刊行物１記載の発明（以下「刊行物１発明」という）とを比較すると、本願発明と刊行物１発明との対応関係については、上記第２．２．（３）ウ．に記載したとおりであるところ、これを援用する。
　
　本願発明と刊行物１発明とは、
［一致点］
「入力されたデータを分割するデータ分割部と、
　上記分割されたデータのうち、画素のサンプル値に関する情報と、画素ごとの透明度を表すサンプル値に関する情報により任意形状を復号化する第１の復号化部と、
上記分割されたデータのうち、サンプル値に関する情報を復号化し、任意形状を復号化する第２の復号化部と、
上記第１および第２の復号化部からの出力を合成する画像信号合成部、
を有する符号化画像データの再生装置。」
　である点で一致し、以下の各点で相違する。
　
［相違点１］
　「第２の復号化部」における「任意形状を復号化する」の具体的手法が、本願発明では、「所定のサンプル値を持つ画素の部分を取り除く処理を行うこと」によるものであるのに対し、刊行物１発明では、多階調切抜きマスクＭＭＶ2を利用して行うものである点。
　
［相違点２］
　「サンプル値に関する情報」が、本願発明では、「輝度と色の強度のサンプル値に関する情報」であるのに対し、刊行物１発明では、「輝度と色の強度のサンプル値に関する情報」であるのか否か定かでない点。
　
［相違点３］
　「画素ごとの透明度を表すサンプル値に関する情報」を、本願発明では、復号化するのに対し、刊行物１発明では、復号化するのか否か定かでない点。
　
［相違点４］
　「符号化画像データ」が、本願発明では、「動画像」であるのに対し、刊行物１発明では、静止画像である点。
　
　
３．相違点の判断等
　上記各相違点について検討する。
　
（１）［相違点１］について
　上記第２．２．（３）エ．で判断したとおり、刊行物１発明において、抽出対象の素材毎に、アルファ情報を用いる手法とクロマキー抽出を用いる手法とを任意に採用することで、第２の復号化部において、「任意形状を復号化する」の具体的手法を、「所定のサンプル値を持つ画素の部分を取り除く処理を行うこと」によるものとすることは、当業者が容易に想到し得たことである。
　
（２）［相違点２］について
　上記第２．２．（３）エ．で判断したとおり、刊行物１発明においても、「サンプル値に関する情報」を「輝度と色の強度のサンプル値に関する情報」とすることは単なる設計事項にすぎない。
　
（３）［相違点３］について
　上記第２．２．（３）エ．で判断したとおり、刊行物１発明においても、「画素ごとの透明度を表すサンプル値に関する情報」を符号化しておき、画像の抽出を行う際に復号化して用いるよう構成することは単なる設計事項にすぎない。
　
（４）［相違点４］について
　上記第２．２．（３）エ．で判断したとおり、刊行物１発明においても、処理対象である「符号化画像データ」を「動画像」とすることは当業者が容易に想到し得たことである。
　
　
４．効果等
　以上のとおり、上記相違点１〜４に係る本願発明の構成は、いずれも当業者が容易に想到し得たものであるところ、上記各相違点を総合しても格別の作用効果を奏するものとはいえず、本願発明を全体としてみても、その作用効果は、上記刊行物１及び周知事項から当業者が予測できる範囲のものである。
　
　
５．まとめ（査定の検討）
　したがって、本願発明は、上記刊行物１に記載された発明に基づいて当業者が容易に発明をすることができたものである。
　
　
　
　
　
　
第５．むすび
　以上のとおり、本願請求項１に係る発明は、刊行物１に記載された発明に基づいて当業者が容易に発明をすることができたものであるから、本願は、特許法第２９条第２項の規定により特許を受けることができない。
　したがって、本願は拒絶をすべきものである。
　よって、結論のとおり審決する。